(57)【特許請求の範囲】
【請求項１】
燃焼室に設置されるガスバーナーと、ガスバーナーに空気を供給する給気ファンと、ガスバーナーの熱により水を昇温させる一次熱交換器と、燃焼室からの燃焼排ガスを外部に排出する排気通路と、排気通路内で燃焼排ガスの潜熱を回収する二次熱交換器とからなる潜熱回収型熱源機を複数個備え、前記複数個の潜熱回収型熱源機を構成する風呂給湯器の給湯排気通路及び給湯暖房機の暖房排気通路に、一本の混合排気通路が付設されており、混合排気通路の上面に開口した排気筒が設けられており、混合排気通路の長手方向の一端は給湯排気通路の略Ｕ字状の折り返し通路に連通していると共に、他端は暖房排気通路の略Ｕ字状の折り返し通路に連通していることを特徴とする潜熱回収型熱源機の白煙防止構造。
【請求項２】
上記複数個の潜熱回収型熱源機のうち、いずれか１個の潜熱回収型熱源機の単独燃焼時に、非燃焼側の他の潜熱回収型熱源機の給気ファンを回転させることを特徴とする請求項１記載の潜熱回収型熱源機の白煙防止構造。
【請求項３】
燃焼室に設置されるガスバーナーと、ガスバーナーに空気を供給する給気ファンと、ガスバーナーの熱により水を昇温させる一次熱交換器と、燃焼室からの燃焼排ガスを外部に排出する排気通路と、排気通路内で燃焼排ガスの潜熱を回収する二次熱交換器とからなる潜熱回収型熱源機を複数個備え、前記複数個の潜熱回収型熱源機を構成する風呂給湯器の給湯排気通路及び給湯暖房機の暖房排気通路に、一本の混合排気通路が付設されており、混合排気通路の上面に開口した排気筒が設けられており、混合排気通路の長手方向の一端は給湯排気通路の略Ｕ字状の折り返し通路に連通していると共に、他端は暖房排気通路の略Ｕ字状の折り返し通路に連通しており、前記燃焼排ガスの白煙が発生しやすい状況を検知するための白煙検知手段を設け、白煙検知手段による検知時に給気ファンからの風量を増加させることを特徴とする潜熱回収型熱源機の白煙防止構造。
【請求項４】
燃焼室に設置されるガスバーナーと、ガスバーナーに空気を供給する給気ファンと、ガスバーナーの熱により水を昇温させる一次熱交換器と、燃焼室からの燃焼排ガスを外部に排出する排気通路と、排気通路内で燃焼排ガスの潜熱を回収する二次熱交換器とからなる潜熱回収型熱源機を複数個備え、前記複数個の潜熱回収型熱源機を構成する風呂給湯器の給湯排気通路と給湯暖房機の暖房排気通路を別々にし、給湯排気通路の長手方向の一端は略Ｕ字状の折り返し通路に連通していると共に、暖房排気通路の長手方向の一端は略Ｕ字状の折り返し通路に連通しており、両排気通路の出口をそれぞれ風呂給湯器及び給湯暖房機の機器ケーシングの排気口に面して配置すると共に、排気口に面して１つの外付けの希釈用ファンを設置して、両排気通路の出口側に向けて希釈用空気を供給するようにしたことを特徴とする潜熱回収型熱源機の白煙防止構造。
【発明の詳細な説明】
【０００１】
【発明の属する技術分野】
本発明は、潜熱回収型熱源機の白煙防止構造に関するものである。
【０００２】
【従来の技術】
従来、例えば特開平６−３０７６２４号公報には、風呂給湯器や給湯暖房機等の排気通路に潜熱回収用の熱交換器を設けることによって、燃焼排ガスの廃熱を奪い、潜熱まで回収することによって高効率化を図るようにした潜熱回収型の熱源機が知られている。
【０００３】
【発明が解決しようとする課題】
ところで、上記のような潜熱回収型の熱源機にあっては、排気通路から排出される燃焼排ガスの温度が低下し、そのために排気口に付近で燃焼排ガス中に含まれている水蒸気が白色化して白煙が発生する恐れがある。このような白煙が発生すると、火災と間違えるケースがあり、美観上においても好ましく、白煙を抑えることが要望されている。
【０００４】
本発明は、上記の従来例の問題点に鑑みて発明したものであって、その目的とするところは、燃焼排ガスの潜熱を回収して高効率化を図るものでありながら、燃焼排ガスの温度の低下による白煙の発生を抑えることができる潜熱回収型熱源機の白煙防止構造を提供するにあり、別の目的とするところは、白煙が発生しやすい状況下でも、簡単な構造で白煙の発生を抑えることができる潜熱回収型熱源機の白煙防止構造を提供するにある。
【０００５】
【課題を解決するための手段】
上記課題を解決するために請求項１記載の発明にあっては、燃焼室４に設置されるガスバーナー５と、ガスバーナー５に空気を供給する給気ファン３と、ガスバーナー５の熱により水を昇温させる一次熱交換器６と、燃焼室４からの燃焼排ガスを外部に排出する排気通路１０と、排気通路１０内で燃焼排ガスの潜熱を回収する熱交換器７とからなる潜熱回収型熱源機１を複数個備え、前記複数個の潜熱回収型熱源機１を構成する風呂給湯器１Ａの給湯排気通路１０及び給湯暖房機１Ｂの暖房排気通路１０ａに、一本の混合排気通路２が付設されており、混合排気通路２の上面に開口した排気筒３６が設けられており、混合排気通路２の長手方向の一端は給湯排気通路１０の略Ｕ字状の折り返し通路１７に連通していると共に、他端は暖房排気通路１０ａの略Ｕ字状の折り返し通路１７ａに連通していることを特徴としており、このように構成することで、風呂給湯器１Ａ及び給湯暖房機１Ｂにおいてそれぞれ給気ファン３よる燃焼で生じた燃焼排ガスを給湯排気通路１０及び暖房排気通路１０ａのそれぞれの略Ｕ字状の折り返し通路１７，１７ａを経て混合排気通路２内で混合させることによって、燃焼排ガスが希釈されて露点温度が低くなり、従って、燃焼排ガスの潜熱を回収して高効率化を図るものでありながら、白煙の発生を抑えることができる。
【０００６】
また請求項２記載の発明にあっては、上記複数個の潜熱回収型熱源機１のうち、いずれか１個の潜熱回収型熱源機１の単独燃焼時に、非燃焼側の他の潜熱回収型熱源機１の給気ファン３を回転させるのが好ましく、この場合、どれか１つの給気ファン３による単独燃焼の場合であっても、混合排気通路２内の風量を増やして白煙防止効果を高めることができる。
【０００７】
また請求項３記載の発明にあっては、燃焼室４に設置されるガスバーナー５と、ガスバーナー５に空気を供給する給気ファン３と、ガスバーナー５の熱により水を昇温させる一次熱交換器６と、燃焼室４からの燃焼排ガスを外部に排出する排気通路１０と、排気通路１０内で燃焼排ガスの潜熱を回収する熱交換器７とからなる潜熱回収型熱源機１を複数個備え、前記複数個の潜熱回収型熱源機１を構成する風呂給湯器１Ａの給湯排気通路１０及び給湯暖房機１Ｂの暖房排気通路１０ａに、一本の混合排気通路２が付設されており、混合排気通路２の上面に開口した排気筒３６が設けられており、混合排気通路２の長手方向の一端は給湯排気通路１０の略Ｕ字状の折り返し通路１７に連通していると共に、他端は暖房排気通路１０ａの略Ｕ字状の折り返し通路１７ａに連通しており、前記燃焼排ガスの白煙が発生しやすい状況を検知するための白煙検知手段２１を設け、白煙検知手段２１による検知時に給気ファン３からの風量を増加させることを特徴としており、このように構成することで、特に白煙が発生しやすい寒冷地などにおいて、白煙が発生する可能性が高くなった場合は、白煙検知手段２１により燃焼排ガスの白煙が発生しやすい状況を検知して給気ファン３からの風量を増加させることによって、燃焼排ガスが希釈されて空気比が上がり、白煙の発生を抑えることができる。
【０００８】
また請求項４記載の発明にあっては、燃焼室４に設置されるガスバーナー５と、ガスバーナー５に空気を供給する給気ファン３と、ガスバーナー５の熱により水を昇温させる一次熱交換器６と、燃焼室４からの燃焼排ガスを外部に排出する排気通路１０と、排気通路１０内で燃焼排ガスの潜熱を回収する熱交換器７とからなる潜熱回収型熱源機１を複数個備え、前記複数個の潜熱回収型熱源機１を構成する風呂給湯器１Ａの給湯排気通路１０と給湯暖房機１Ｂの暖房排気通路１０ａを別々にし、給湯排気通路１０の長手方向の一端は略Ｕ字状の折り返し通路１７に連通していると共に、暖房排気通路１０ａの長手方向の一端は略Ｕ字状の折り返し通路１７ａに連通しており、両排気通路１０，１０ａの出口１０ｂをそれぞれ風呂給湯器１Ａ及び給湯暖房機１Ｂの機器ケーシング３７の排気口３８に面して配置すると共に、排気口３８に面して１つの外付けの希釈用ファン１９を設置して、両排気通路１０，１０ａの出口１０ｂ側に向けて希釈用空気を供給するようにしたことを特徴としており、このように構成することで、希釈用ファン１９を排気通路１０，１０ａの出口１０ｂ側に設置するだけの簡単な構造で、燃焼排ガスと希釈空気とがよく混合して白煙の発生を抑えることができる。
【０００９】
【発明の実施の形態】
以下、本発明を添付図面に示す実施形態に基づいて説明する。
【００１０】
本実施形態の潜熱回収型熱源機１は、図１に示すように、風呂給湯器１Ａと給湯暖房機１Ｂとで構成されていると共に、１つの共通の混合排気通路２を備えている。なお潜熱回収型熱源機１の種類は、これら風呂給湯器１Ａや給湯暖房機１Ｂに限られるものではなく、また潜熱回収型熱源機１の数も２つに限られるものではない。
【００１１】
上記風呂給湯器１Ａは、ガスバーナー５を設置した燃焼室４の上部には顕熱回収用の一次熱交換器６が配置されていると共に、燃焼室４の上部に連通する給湯排気通路１０内には潜熱回収用の二次熱交換器７が配置されている。一次熱交換器６の一端には給湯管路９が接続され、二次熱交換器７の一端には給水管路８が接続され、二次熱交換器７の他端と一次熱交換器６の他端とが接続管４３を介して互いに接続されている。接続管４３はバイパス管路１４を介して給湯管路９にバイパス接続されている。そして、給湯側の給気ファン３により燃焼室４内に新鮮な空気を供給してガスバーナー５を燃焼させると共に、給水管路８から給水することで、給水管路８から二次熱交換器７内に入る水と燃焼室４から排気通路１０内に排出される燃焼排ガスの熱とを熱交換させて、水温をある程度上昇させることができるものであり、さらに二次熱交換器７から接続管４３を通って一次熱交換器６内に入る低温の湯と燃焼室４内のガスバーナー５の熱とを熱交換させて、給湯管路９に高温の湯を供給できるようになっている。またこのとき、一次熱交換器６の両端を短絡させるためのバイパス管１４を開閉弁等によって開閉することによって、二次熱交換器７からの低温の湯と一次熱交換器６からの高温の湯とを切り換えて、給湯管路９内に供給できるようになっている。
【００１２】
上記給湯管路９は、給湯分岐管１３を介して風呂の追い炊き用の戻り管１２に接続されており、この戻り管１２は追い炊き用の熱交換器２０を介して追い炊き用の往路管１１に接続されている。本例では、追い炊き用の熱交換器２０は、給湯暖房機１Ｂの高温往路管２８に設けられており、この高温往路管２８内の熱により追い炊き用の往路管１１内の水を昇温させることで、給湯暖房機１Ｂのガスバーナー５ａを利用して、風呂の追い炊きができる構造となっている。
【００１３】
また、風呂給湯器１Ａの給湯排気通路１０の先端は、略Ｕ字状に折り返された折り返し通路１７の一端に連通している。折り返し通路１７の他端は、給湯排気通路１０の上面に沿って横設された混合排気通路２の一端に連通している。なお折り返し通路１７の底面側には、潜熱回収により二次熱交換器７に結露した水滴を受けるためのドレン受け３０が設けられている。ドレン受け３０には水勾配を設けてあり、水勾配の下流にドレン受け３０で受けた結露水を排出するためのドレン排水管１５の一端が接続されている。ドレン排水管１５の他端は、酸性水あるいは強酸性水などの結露水に中和剤を添加して中和するための中和器１６を介して、外部排出管３１に接続されている。
【００１４】
一方、給湯暖房機１Ｂは、基本的には上記風呂給湯器１Ａと同様であり、対応する部分には同一符号に添字ａを付して詳しい説明は省略する。暖房用のガスバーナー５ａが設置される燃焼室４ａ内には、顕熱回収用の一次熱交換器６ａが配置され、燃焼室４ａの上部に連通する暖房排気通路１０ａ内には潜熱回収用の二次熱交換器７ａが配置されている。二次熱交換器７ａの一端には開閉弁２４で開閉される暖房戻り管２５が接続されており、二次熱交換器７ａの他端は接続管４１を介して暖房タンク１８の入口に接続されている。そして、暖房側の給気ファン３ａによりガスバーナー５ａを燃焼させると共に開閉弁２４を開いて、ポンプ（図示せず）を駆動することで、暖房戻り管２５内から二次熱交換器７ａ内に入る水と燃焼室４ａから暖房排気通路１０ａ内に排出される燃焼排ガスの熱とを熱交換させて、水の温度をある程度上昇させてから暖房タンク１８内に溜められるようになっている。なお図中の４０は暖房タンク１８のオーバーフロー管である。
【００１５】
暖房タンク１８の出口は、接続管２３を介して一次熱交換器６ａの一端に接続されており、この一次熱交換器６ａの他端に高温往路管２８が接続されている。暖房タンク１８からの湯（又は水）は、一次熱交換器６で燃焼室４内のガスバーナー５の熱と熱交換されて、給湯管路９に高温の湯を供給できるようになっている。また上記接続管２３には低温往路管２９が接続されており、この低温往路管２９と高温往路管２８とが流量調整弁５０等を介して連通している
上記風呂給湯器１Ａの給湯排気通路１０及び給湯暖房機１Ｂの暖房排気通路１０ａの上方には、一本の直管状をした混合排気通路２が横設されており、給湯排気通路１０と暖房排気通路１０ａの両方が混合排気通路２にそれぞれ連通している。混合排気通路２は、給湯排気通路１０及び暖房排気通路１０ａからのそれぞれの燃焼排ガスを混合することにより白煙の発生を抑える機能を有しており、混合排気通路２の中央側の上面には上方に開口した排気筒３６が設けられている。混合排気通路２の長手方向の一端は給湯排気通路１０の折り返し通路１７に連通していると共に、他端は暖房排気通路１０ａの折り返し通路１７ａに連通しており、両排気通路１０からの燃焼排ガスが混合排気通路２の図１のイで示す部分で混合された後で、排気筒３６から屋外へ排出されるようになっている。
【００１６】
しかして、潜熱回収用の熱交換器６を備える風呂給湯器１Ａ及び給湯暖房機１Ｂ等のような潜熱回収型の熱源機において、給湯側の給気ファン３による燃焼で生じた燃焼排ガスと、暖房側の給気ファン３ａによる燃焼で生じた燃焼排ガスとを、外部に排出する前に混合排気通路２内で混合させ、その後、混合気を外部に排出するようにしたので、各排気通路１０，１０ａからの燃焼排ガスが希釈されて空気比が上がり、これに伴い燃焼排ガスの露点温度が低くなり、白煙の発生を抑えることができる。しかも、両排気通路１０，１０ａの風量をミックスさせているので、例えば風量を増やすために給気ファン３，３ａの回転数を上げたりする必要もない。
【００１７】
ところで、風呂給湯器１Ａと給湯暖房機１Ｂとを同時燃焼させている時でも、片方からしか白煙が発生しないケースが多い。このことから、上記のように混合排気通路２内で双方の燃焼排ガスを混合することによって、白煙の発生する燃焼排ガスの露点温度を下げて、白煙の発生を防止することができる。つまり、複数個の給気ファン３，３ａによる燃焼時でも、別々に排気させずにミックスさせて排気させることによって、白煙の発生確率を低減させることができるものである。
【００１８】
また、風呂給湯器１Ａのみ又は給湯暖房機１Ｂのみの片側運転時においても、給湯側の給気ファン３と暖房側の給気ファン３ａの双方を常に回転させておくことによって、白煙の発生を常に防止できるようになる。つまり、どれか１つの給気ファン３（又は３ａ）による単独燃焼の場合でも、非燃焼側の給気ファン３ａ（又は３）を常に回転させておくことによって、混合排気通路２内のトータルな風量が増加し、これにより燃焼排ガスの露点温度が一層低下して白煙防止効果が顕著となる。またこのような単独燃焼時において、非燃焼側の給気ファン３ａ（又は３）の回転数を上げれば、燃焼排ガスの露点温度が更に下がり、白煙発生をより一層抑えることが可能となる。
【００１９】
図２、図３は、他の実施形態を示しており、潜熱回収型熱源機１の機器ケーシング３７の外部に、排気口３８側に向けて希釈用ファン１９を設置した場合を示している。本例では、図２に示すように、風呂給湯器１Ａの排気通路１０と給湯暖房機１Ｂの暖房排気通路１０ａを別々にし、各排気通路１０，１０ａの出口１０ｂ，１０ｂを、図３に示す機器ケーシング３７の横長の排気口３８に面して配置すると共に、排気口３８に面して１つの外付けの希釈用ファン１９を設置している点で、図１の混合排気通路２を設けた構造とは異なっている。他の構成は図１と同様であり、対応する部分には同一符号を付して詳しい説明は省略する。しかして、外付けの希釈用ファン１９の風向きを、燃焼排ガスとよく混合するように排気方向に対してできるだけ直交させるようにして、機器ケーシング３７を回転駆動させると、排気口３８からの排出される燃焼排ガスが希釈用ファン１９からの空気によって希釈される。これにより、燃焼排ガスの露点温度が下がり、白煙の発生を抑えることができる。しかも機器ケーシング３７に希釈用ファン１９を後付けするだけでよく、既存の潜熱回収型熱源機の白煙防止にも容易に対応できるものである。なお本例では１つの機器ケーシング３７内に２つの潜熱回収型熱源機１を収納する場合を例示したが、もちろん、１個の潜熱回収型熱源機１を収納したものであってもよい。また希釈用ファン１９は機器ケーシング３７に外付けされる場合に限らず、機器ケーシング３７の内側の排気口３８近傍位置に取り付けてもよいものである。
【００２０】
図４、図５は、単独の給気ファン３を備えた潜熱回収型熱源機１において、燃焼排ガスの白煙が発生しやすい状況を検知するための白煙検知手段２１を設けることにより、白煙検知手段２１による検知時に給気ファン３からの風量を増加させるようにした場合を示している。ここでは、排気通路１０の排気口１０Ａは側方に開口しており、排気口１０Ａの手前側にドレン受け３０で受けた結露水を排出するドレン排水管１５が接続されている。他の構成は図１の風呂給湯器１Ａとほぼ同様であり、対応する部分には同一符号を付して詳しい説明は省略する。本例では、白煙検知手段２１として、外気温を検知する外気温度センサー、或いは燃焼量（ガス消費量）を検知する検知センサー等を用いることができ、マイクロコンピューター等によって実現される制御部２２により、外気温度やガス消費量等の情報をもとに白煙が発生しやすい状況を検知するようにする。そして、白煙が発生する可能性が高くなった場合には、給気ファン３の回転数をアップさせることにより、空気比が高くなって露点温度が低下し、白煙の発生を抑えることができる。なお図４の例では単独ファン方式を例示しているが、前記図１〜図３のように２つの給気ファン３，３ａを備えた構造において、白煙が発生しやすい状況になったときに２つの給気ファン３，３ａの回転数を上げたり、或いは一方の給気ファン３又は３ａの回転数のみを上げることにより、風量を増加させるようにしてもよいものであり、この場合においても燃焼排ガスの露点温度が下がり、白煙が発生しそうな状況下で白煙の発生を未然に抑えることができるものである。また、白煙が発生しやすい寒冷地などの状況に応じて、外気温センサー等をオプションとして付設することで、既存の潜熱回収型熱源機にも容易に適用できるものとなる。
【００２１】
なお、上記外気温センサーに代えて、温度センサーと湿度センサーとを組み合わせて構成される温湿度センサーを用いてもよく、この場合、温湿度センサーによって外気状態をより正確に検知できるようになり、白煙防止により効果的となる。
【００２２】
【発明の効果】
上述のように請求項１記載の発明にあっては、燃焼室に設置されるガスバーナーと、ガスバーナーに空気を供給する給気ファンと、燃焼室に設置されるガスバーナーと、ガスバーナーに空気を供給する給気ファンと、ガスバーナーの熱により水を昇温させる一次熱交換器と、燃焼室からの燃焼排ガスを外部に排出する排気通路と、排気通路内で燃焼排ガスの潜熱を回収する二次熱交換器とからなる潜熱回収型熱源機を複数個備え、前記複数個の潜熱回収型熱源機を構成する風呂給湯器の給湯排気通路及び給湯暖房機の暖房排気通路に、一本の混合排気通路が付設されており、混合排気通路の上面に開口した排気筒が設けられており、混合排気通路の長手方向の一端は給湯排気通路の略Ｕ字状の折り返し通路に連通していると共に、他端は暖房排気通路の略Ｕ字状の折り返し通路に連通しているので、風呂給湯器及び給湯暖房機においてそれぞれ給気ファンよる燃焼で生じた燃焼排ガスを給湯排気通路及び暖房排気通路のそれぞれの略Ｕ字状の折り返し通路を経て混合排気通路内で混合させることによって燃焼排ガスが希釈されて、露点温度が低下する。従って、燃焼排ガスの潜熱を回収して高効率化を図るものでありながら、白煙の発生を抑えることができる。しかも、風量を増やすために給気ファンの回転数を上げる必要もないので、運転コストの低減を図ることができる。
【００２３】
また請求項２記載の発明は、請求項１記載の効果に加えて、上記複数個の潜熱回収型熱源機のうち、いずれか１個の潜熱回収型熱源機の単独燃焼時に、非燃焼側の他の潜熱回収型熱源機の給気ファンを回転させるようにしたので、どれか１つの給気ファンによる単独燃焼の場合であっても、非燃焼側の給気ファンを停止させずに常に回転させておくことによって、混合排気通路内の風量が増加し、燃焼排ガスの露点温度が一層低下して白煙防止効果が顕著となる。また、給気ファンの回転量を変えるだけでよいので、潜熱回収型熱源機自体の構造を変える必要がなく、低コストで、白煙発生確率を低減させることができる。
【００２４】
また請求項３記載の発明は、燃焼室に設置されるガスバーナーと、ガスバーナーに空気を供給する給気ファンと、ガスバーナーの熱により水を昇温させる一次熱交換器と、燃焼室からの燃焼排ガスを外部に排出する排気通路と、排気通路内で燃焼排ガスの潜熱を回収する二次熱交換器とからなる潜熱回収型熱源機を複数個備え、前記複数個の潜熱回収型熱源機を構成する風呂給湯器の給湯排気通路及び給湯暖房機の暖房排気通路に、一本の混合排気通路が付設されており、混合排気通路の上面に開口した排気筒が設けられており、混合排気通路の長手方向の一端は給湯排気通路の略Ｕ字状の折り返し通路に連通していると共に、他端は暖房排気通路の略Ｕ字状の折り返し通路に連通しており、前記燃焼排ガスの白煙が発生しやすい状況を検知するための白煙検知手段を設け、白煙検知手段による検知時に給気ファンからの風量を増加させるようにしたので、特に白煙が発生しやすい寒冷地などにおいて、白煙が発生する可能性が高くなった場合は、白煙検知手段が燃焼排ガスの白煙が発生しやすい状況を検知して給気ファンからの風量を増加させることによって、燃焼排ガスが希釈されて空気比が上がり、従って、燃焼排ガスの潜熱を回収して高効率化を図るものでありながら、白煙の発生を抑えることができる。
【００２５】
また請求項４記載の発明は、燃焼室に設置されるガスバーナーと、ガスバーナーに空気を供給する給気ファンと、ガスバーナーの熱により水を昇温させる一次熱交換器と、燃焼室からの燃焼排ガスを外部に排出する排気通路と、排気通路内で燃焼排ガスの潜熱を回収する二次熱交換器とからなる潜熱回収型熱源機を複数個備え、前記複数個の潜熱回収型熱源機を構成する風呂給湯器の給湯排気通路と給湯暖房機の暖房排気通路を別々にし、給湯排気通路の長手方向の一端は略Ｕ字状の折り返し通路に連通していると共に、暖房排気通路の長手方向の一端は略Ｕ字状の折り返し通路に連通しており、両排気通路の出口をそれぞれ風呂給湯器及び給湯暖房機の機器ケーシングの排気口に面して配置すると共に、排気口に面して１つの外付けの希釈用ファンを設置して、両排気通路の出口側に向けて希釈用空気を供給するようにしたので、希釈用ファンの風向きを排気通路の出口側に向けるだけで燃焼排ガスと希釈空気とがよく混合するようになり、燃焼排ガスの露点温度を下げることができ、従って、燃焼排ガスの潜熱を回収して高効率化を図るものでありながら、白煙の発生を抑えることができる。さらに給気ファンの回転数を上げて風量を増加させる場合と比較して、希釈用ファンを設置するだけでよいために、簡単な構造で白煙防止効果が得られるものである。
【図面の簡単な説明】
【図１】本発明の実施形態の一例を示す概略構成図である。
【図２】他の実施形態を示す概略構成図である。
【図３】同上の機器ケーシングに希釈用ファンを外付けした場合の説明図である。
【図４】更に他の実施形態を示す概略構成図である。
【図５】同上のブロック図である。
【符号の説明】
１  潜熱回収型熱源機
２  混合排気通路
３，３ａ  給気ファン
４，４ａ  燃焼室
５，５ａ  ガスバーナー
６，６ａ  一次熱交換器
７，７ａ  二次熱交換器
１０，１０ａ  排気通路
１９  希釈用ファン
２１  白煙検知手段
【図１】
0003820075.tif 000002
【図２】
0003820075.tif 000003
【図３】
0003820075.tif 000004
【図４】
0003820075.tif 000005
【図５】
0003820075.tif 000006